(57)【要約】【課題】造営面からの配線器具用プレートの突出量を小さくすることができる見栄えのよい配線器具用プレートを提供する【解決手段】プレート取付け枠２を造営面７の埋込み穴６の、造営面７よりも奥の取付け座６ｂに取り付ける。プレート取付け枠２に化粧プレート３を取り付ける。化粧プレート３は、化粧プレート本体２１と、化粧プレート本体２１から後方に突出する係合部２２ａ，２２ｂと、を備える。化粧プレート本体２１は、プレート取付け枠２の前面を覆うと共に、埋込み穴６の縁の造営面７に接する。化粧プレート３の係合部２２ａ，２２ｂとプレート取付け枠２の係合部１３ａ，１３ｂとが造営面７よりも奥で係合する。【選択図】図１１
2019146341.tif 000002
【特許請求の範囲】
【請求項１】
配線器具の機能面を露出させる開口を有し、造営面の埋込み穴の、前記造営面よりも奥の取付け座に取り付けられるプレート取付け枠と、
前記配線器具の機能面を露出させる開口を有し、前記プレート取付け枠の前面を覆うと共に、前記埋込み穴の縁の前記造営面に接する化粧プレート本体、及び前記化粧プレート本体から後方に突出する係合部を含む化粧プレートと、を備え、
前記化粧プレートの前記係合部と前記プレート取付け枠の係合部とが、前記造営面よりも奥で係合して、前記化粧プレートが前記プレート取付け枠に取り付けられる配線器具用プレート。
【請求項２】
前記プレート取付け枠に対する前記化粧プレートの奥行き方向の位置を調整できるように、前記プレート取付け枠の前記係合部及び前記化粧プレートの前記係合部の少なくとも一方に複数の爪を設けることを特徴とする請求項１に記載の配線器具用プレート。
【請求項３】
前記プレート取付け枠の前記係合部は、断面略Ｉ字状であると共に、側面に前記複数の爪を有する第１係合部と、断面略Ｕ字状であると共に、側面に前記複数の爪を有する第２係合部と、を備えることを特徴とする請求項２に記載の配線器具用プレート。
【請求項４】
前記化粧プレートは、前記化粧プレート本体の前記開口を挟んで一対の前記係合部を有し、
前記化粧プレートの一対の前記係合部を、前記取付け座の一対の壁面と前記プレート取付け枠の一対の側面との間に差し込むことを特徴とする請求項１ないし３のいずれか一項に記載の配線器具用プレート。
【発明の詳細な説明】
【技術分野】
【０００１】
本発明は、家具の天板、建築物の壁等の造営面に配線器具を埋設するための配線器具用プレートに関する。
【背景技術】
【０００２】
従来、家具の天板、建築物の壁等の造営面に配線器具を埋設するために、造営面に埋込み穴を設け、配線器具をプレート取付け枠に取り付け、プレート取付け枠を造営面に取り付けることが行われている（特許文献１参照）。見栄えをよくするために、プレート取付け枠は化粧プレートで覆われる。
【０００３】
プレート取付け枠は、配線器具の機能面（コンセント若しくはＵＳＢの差込み口が設けられた面、又はスイッチの操作体が設けられた面等）を露出させる開口を有する。化粧プレートは、開口が形成される化粧プレート本体と、化粧プレート本体から後方に突出する係合部と、を備える。化粧プレート本体も、配線器具の機能面を露出させる開口を有する。化粧プレートの係合部がプレート取付け枠の係合部に係合して、化粧プレートがプレート取付け枠に取り付けられる。
【先行技術文献】
【特許文献】
【０００４】
【特許文献１】特開２００１−２１１５２３号公報
【発明の概要】
【発明が解決しようとする課題】
【０００５】
しかし、従来の配線器具用プレートにあっては、造営面上にプレート取付け枠と化粧プレートとが積層されるので、造営面からの配線器具用プレートの突出量が大きいという課題がある。
【０００６】
そこで、本発明は、造営面からの配線器具用プレートの突出量を小さくすることができる見栄えのよい配線器具用プレートを提供することを目的とする。
【課題を解決するための手段】
【０００７】
上記課題を解決するために、本発明の一態様は、配線器具の機能面を露出させる開口を有し、造営面の埋込み穴の、前記造営面よりも奥の取付け座に取り付けられるプレート取付け枠と、前記配線器具の機能面を露出させる開口を有し、前記プレート取付け枠の前面を覆うと共に、前記埋込み穴の縁の前記造営面に接する化粧プレート本体、及び前記化粧プレート本体から後方に突出する係合部を含む化粧プレートと、を備え、前記化粧プレートの前記係合部と前記プレート取付け枠の係合部とが、前記造営面よりも奥で係合して、前記化粧プレートが前記プレート取付け枠に取り付けられる配線器具用プレートである。
【発明の効果】
【０００８】
本発明によれば、造営面よりも奥の取付け座にプレート取付け枠を取り付け、造営面よりも奥で化粧プレートの係合部とプレート取付け枠の係合部とを係合させ、プレート取付け枠を覆う化粧プレート本体が造営面に接するようにするので、造営面からの配線器具用プレートの突出量を小さくすることができる。また、化粧プレート本体が埋込み穴の縁の造営面も覆うので、見栄えよい配線器具用プレートにすることができる。
【図面の簡単な説明】
【０００９】
【図１】本発明の第１の実施形態の配線器具用プレートの分解斜視図である。
【図２】本実施形態のプレート取付け枠をテーブルに取り付けた状態を示す斜視図である。
【図３】本実施形態の化粧プレートをプレート取付け枠に取り付けた状態を示す斜視図である。
【図４】テーブルの天板に取り付けた本実施形態の配線器具用プレートの側面図である。
【図５】化粧プレートの詳細図である（図５（ａ）は前面側斜視図、図５（ｂ）は後面側斜視図、図５（ｃ）は拡大側面図）。
【図６】本実施形態のプレート取付け枠の斜視図である（図６（ａ）は前面側斜視図、図６（ｂ）は後面側斜視図）。
【図７】本実施形態のプレート取付け枠の詳細図である（図７（ａ）は側面図、図７（ｂ）は図７（ａ）のｂ−ｂ線断面図、図７（ｃ）は図７（ａ）のｃ−ｃ線断面図）。
【図８】配線器具を本実施形態のプレート取付け枠に取り付ける手順を示す図である（図８（ａ）は平面図、図８（ｂ）は図８（ａ）のｂ−ｂ線断面図）。
【図９】配線器具を本実施形態のプレート取付け枠に取り付ける手順を示す図である（図９（ａ）は平面図、図９（ｂ）は図９（ａ）のｂ−ｂ線断面図）。
【図１０】ＵＳＢコンセントを本実施形態のプレート取付け枠に取り付ける手順を示す図である（図１０（ａ）は平面図、図１０（ｂ）は図１０（ａ）のｂ−ｂ線断面図）。
【図１１】本実施形態の化粧プレートをプレート取付け枠に取り付ける手順を示す図である（図１１（ａ）は取付け座が浅い例、図１１（ｂ）は取付け座が深い例）。
【発明を実施するための形態】
【００１０】
以下、添付図面に基づいて、本発明の実施形態の配線器具用プレートを詳細に説明する。ただし、本発明の配線器具用プレートは種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１１】
図１は、本発明の第１の実施形態の配線器具用プレート１をテーブルの天板５に取り付ける例を示す。２はプレート取付け枠、３は化粧プレート、４はコンセント等の配線器具、である。なお、以下では、説明の便宜上、配線器具用プレート１を平面視した時の方向、すなわち図１に示す前後、左右、上下の各方向を用いて、配線器具用プレート１の構成を説明する。もちろん、配線器具用プレート１の配置はこのような配置に限られるものではない。
【００１２】
テーブルの天板５には、埋込み穴６が設けられる。埋込み穴６は、配線器具４が埋め込まれる平面視で略四角形の埋込み穴本体６ａと、埋込み穴本体６ａの前面の周囲に設けられる取付け座６ｂと、を備える。取付け座６ｂは、平面視で埋込み穴本体６ａよりも大きい略四角形であり、造営面７よりも奥にある。取付け座６ｂにプレート取付け枠２が取り付けられる。
【００１３】
プレート取付け枠２には、配線器具４が着脱可能に取り付けられる。プレート取付け枠２の前面には、配線器具４の機能面を露出させる開口２ａ，２ｂが形成される。プレート取付け枠２の左右方向の両端部には、プレート取付け枠２を取付け座６ｂに取り付けるための通し穴２ｃが形成される。９はプレート取付け枠２を取付け座に取り付けるためのねじである。
【００１４】
配線器具４は、樹脂製のボディ４ａと樹脂製のカバー４ｂとを一対の金属製の組立枠４ｃによって結合したものである。配線器具４の左右の側面、すなわち組立枠４ｃの側端面からは一対の係合爪４ｄが突出する。配線器具４の係合爪４ｄがプレート取付け枠２の可撓片８ａ〜８ｄに係合して、配線器具４がプレート取付け枠２に取り付けられる。
【００１５】
図２に示すように、配線器具４が取り付けられたプレート取付け枠２は、埋込み穴６の取付け座６ｂ（図１参照）に取り付けられる。取付け座６ｂの深さは、プレート取付け枠２の前面パネル１１（図１参照）の高さよりも深く、プレート取付け枠２は造営面７よりも奥に埋め込まれる。
【００１６】
プレート取付け枠２には、化粧プレート３が取り付けられる。化粧プレート３は、配線器具４を露出させる開口３ａ，３ｂを有する。化粧プレート３は、開口３ａ，３ｂを有する化粧プレート本体２１と、化粧プレート本体２１から後方に突出する係合部２２ａ，２２ｂ（図５（ｂ）参照）と、を備える。化粧プレート本体２１は、平面視で取付け座６ｂよりも大きい略四角形である。化粧プレート本体２１は、プレート取付け枠２を覆うと共に、埋込み穴６の縁の造営面７に接する（図３参照）。化粧プレート３の係合部２２ａ，２２ｂがプレート取付け枠２の係合部１３ａ，１３ｂに係合して、化粧プレート３がプレート取付け枠２に取り付けられる。
【００１７】
図４は、テーブルの天板５の側面図を示す。本実施形態の配線器具用プレート１では、造営面７から突出するのが化粧プレート３の化粧プレート本体２１のみである。このため、造営面７からの化粧プレート本体２１の突出量が小さく見栄えがよい。
【００１８】
図５（ａ）は化粧プレート３の前面側斜視図であり、図５（ｂ）は化粧プレート３の後面側斜視図であり、図５（ｃ）は化粧プレート３の拡大側面図である。２１は化粧プレート本体、２２ａ，２２ｂは係合部である。化粧プレート３は樹脂の成形品であり、化粧プレート本体２１と係合部２２ａ，２２ｂは一体である。
【００１９】
化粧プレート本体２１は、左右方向に長い長方形の板状である。化粧プレート本体２１には配線器具４を左右方向、すなわち配線器具４の長幅方向に並べられるように２つの開口３ａ，３ｂが形成される。なお、開口３ａ，３ｂの数は、配線器具４の数に合わせて１つにすることも、２つにすることも、３つ以上にすることもできる。化粧プレート本体２１の底面には、化粧プレート３をプレート取付け枠２から取り外すのを容易にするため、左右方向に延びる溝２１ａが形成される。この溝２１ａは、化粧プレート本体２１の側面に開口する。
【００２０】
化粧プレート本体２１の底面には、開口３ａ，３ｂを挟んで対向する一対の係合部２２ａ，２２ｂが設けられる。図５（ｂ）に示すように、係合部２２ａ，２２ｂは、左右方向に延びる板状である。図５（ｃ）に示すように、係合部２２ａ，２２ｂは、互いに略平行であると共に、化粧プレート本体２１に直交する。係合部２２ａ，２２ｂの先端には、内側に向かって突出する断面三角状の爪２３が一体に形成される。
【００２１】
図２に示すように、化粧プレート３をプレート取付け枠２に取り付けるとき、化粧プレート３の一対の係合部２２ａ，２２ｂが、取付け座６ｂの一対の壁面６ｂ１とプレート取付け枠２の一対の側面との間に差し込まれる。そして、化粧プレート３の係合部２２ａ，２２ｂがプレート取付け枠２の係合部１３ａ，１３ｂに係合する。
【００２２】
図６（ａ）はプレート取付け枠２の前面側斜視図を示し、図６（ｂ）はプレート取付け枠２の後面側斜視図を示す。プレート取付け枠２は、開口２ａ，２ｂが形成される前面パネル１１と、前面パネル１１から後方に突出するリブ１２と、を備える。リブ１２は、開口２ａ，２ｂの周縁に枠状に形成される。プレート取付け枠２は樹脂製である。前面パネル１１とリブ１２とは、一体に形成される。
【００２３】
図６（ａ）に示すように、前面パネル１１は、左右方向に長い長方形状である。前面パネル１１には、配線器具４を左右方向、すなわち配線器具４の長幅方向に並べられるように２つの開口２ａ，２ｂが形成される。なお、開口２ａ，２ｂの数は、配線器具４の数に合わせて１つにすることも、２つにすることも、３つ以上にすることもできる。
【００２４】
前面パネル１１の側面には、開口２ａ，２ｂを挟んで互いに対向する一対の第１係合部１３ａが設けられる。前面パネル１１の左右方向の両端部の側面には、互いに対向する一対の第２係合部１３ｂが設けられる。図７（ｂ）の断面図に示すように、第１係合部１３ａは、断面略Ｉ字状であり、基部１３ａ１（図７（ｂ）の下端部）がプレート取付け枠２に一体に形成される。片持ち梁状の第１係合部１３ａの基部１３ａ１が固定端であり、第１係合部１３ａの先端部１３ａ２が自由端である。第１係合部１３ａの外側面には、奥行方向（図７（ｂ）の上下方向）に複数の爪１４が設けられる。複数の爪１４間の複数の凹みに化粧プレート３の係合部２２ａ，２２ｂの爪２３（図５（ｃ）参照）が係合する。
【００２５】
図７（ｃ）に示すように、第２係合部１３ｂは、断面略Ｕ字状であり、一端部１３ｂ１がプレート取付け枠２に一体に形成される。片持ち梁状の第２係合部１３ｂの一端部１３ｂ１が固定端であり、第２係合部１３ｂの他端部１３ｂ２が自由端である。第２係合部１３ｂの外側面には、奥行方向（図７（ｃ）の上下方向）に複数の爪１５が設けられる。複数の爪１５間の複数の凹みに化粧プレート３の係合部２２ａ，２２ｂの爪２３（図５（ｃ）参照）が係合する。
【００２６】
図６（ａ）に示すように、前面パネル１１の側面の下部には、化粧プレート３の係合部２２ａ，２２ｂの先端に当接するストッパ１６が形成される。ストッパ１６は、係合部２２ａ，２２ｂが奥方向に移動し過ぎて、係合部２２ａ，２２ｂと第１係合部１３ａ及び第２係合部１３ｂとが係合しなくなるのを防止する。
【００２７】
図６（ａ）に示すように、リブ１２には、可撓性を有する可撓片８ａ〜８ｄが一体に形成される。一対の可撓片８ａ，８ｂが開口２ａを挟んで対向し、一対の可撓片８ｃ，８ｄが開口２ｂを挟んで対向する。図６（ｂ）に示すように、可撓片８ａ〜８ｄの基部１７がリブ１２に一体に形成される。片持ち梁状の可撓片８ａ〜８ｄの基部１７（図６（ｂ）参照）が固定端であり、可撓片８ａ〜８ｄの先端部１８（図６（ａ）参照）が自由端である。
【００２８】
図６（ｂ）に示すように、可撓片８ａ〜８ｄは左右方向視で略凸状である。可撓片８ａ〜８ｄの肩部１９に配線器具４の係合爪４ｄが係合する。可撓片８ａ〜８ｄの頭部２０には、配線器具４の組立枠４ｃ（図１参照）の前面に係合する段差２０ａが形成される。可撓片８ａ〜８ｄの側面であって、配線器具４の係合爪４ｄに対向する部分には傾斜面２５が形成される。この傾斜面２５に配線器具４の係合爪４ｄが当接して沿うことにより、可撓片８ａ〜８ｄが開口２ａ，２ｂの外側に撓む。
【００２９】
図６（ａ）、図６（ｂ）に示すように、前面パネル１１の開口１ａ，１ｂの両縁には、前面パネル１１から後方に突出する受け部２６が形成される。プレート取付け枠２に配線器具４を取り付けたとき、配線器具４の組立枠４ｃ（図１参照）が受け部２６に当接して、配線器具４の前方向の移動が制限される。そして、配線器具４の係合爪４ｄが可撓片８ａ〜８ｄの肩部１９に係合して、配線器具４の後方向への移動が制限される。また、配線器具４がプレート取付け枠２の開口２ａ，２ｂに嵌まり、配線器具４の左右方向及び上下方向の移動が制限される。
【００３０】
図６（ａ）に示すように、前面パネル１１には、可撓片８ａ〜８ｄの先端部１８を露出させる操作開口２６ａ〜２６ｃが形成される。操作開口２６ａは開口２ａの左側に、操作開口２６ｂは開口２ａと開口２ｂとの間に、操作開口２６ｃは開口２ｂの右側に配置される。
【００３１】
以下に図８、図９を参照して、配線器具４をプレート取付け枠２に着脱する手順を説明する。まず、図８（ａ）、図８（ｂ）に示すように、配線器具４の一方の係合爪４ｄを一方の可撓片８ｄの肩部１９に係合させ、配線器具４の他方の係合爪４ｄを他方の可撓片８ｃの傾斜面２５に沿って前方向（図８（ｂ）の上方向）へ移動させる。係合爪４ｄを傾斜面２５に沿わせて移動させることにより、可撓片８ｃが開口２ｂの外側（図８（ｂ）の左側）に移動して撓む。配線器具４の係合爪４ｄが可撓片８ｃの傾斜面２５を乗り越えると、可撓片８ｃが復元して、係合爪４ｄが可撓片８ｃの肩部１９に乗り上げる。これにより、図９（ａ）（ｂ）に示すように、配線器具４がプレート取付け枠２に取り付けられる。
【００３２】
配線器具４をプレート取付け枠２から取り外すときは、指又は工具でプレート取付け枠２の前方側から操作開口２６ａ〜２６ｃを介して可撓片８ａ〜８ｄを開口２ａ，２ｂの外側に撓ませる。これにより、可撓片８ａ〜８ｄと配線器具４の係合爪４ｄとの係合を解除することができる。
【００３３】
図１０（ａ）、図１０（ｂ）は、配線器具としてＵＳＢコンセントをプレート取付け枠２に取り付けた例を示す。配線器具４１がＵＳＢコンセントでも、取付け手順は同一である。
【００３４】
以下に図１１を参照して、化粧プレート３をプレート取付け枠２に取り付ける手順を説明する。図１１（ａ）に示すように、化粧プレート３の一対の係合部２２ａ，２２ｂを取付け座６ｂの一対の壁面６ｂ１とプレート取付け枠２の一対の側面との間に差し込む。化粧プレート３の係合部２２ａ，２２ｂの爪２３がプレート取付け枠２の第１係合部１３ａ及び第２係合部１３ｂの複数の爪１４，１５を乗り越え、係合部２２ａ，２２ｂ、第１係合部１３ａ及び第２係合部１３ｂが撓む。係合部２２ａ，２２ｂの外側には、係合部２２ａ，２２ｂが外側に撓めるように隙間４２が空けられる。
【００３５】
化粧プレート本体２１が造営面７に接触するまで化粧プレート３を押し込むと、係合部２２ａ，２２ｂの爪２３が第１係合部１３ａの爪１４間の凹み及び第２係合部１３ｂの爪１５間の凹みに係合し、係合部２２ａ，２２ｂ、第１係合部１３ａ及び第２係合部１３ｂが復元する。このとき、係合部２２ａ，２２ｂの爪２３は、第１係合部１３ａの爪１４間の凹み及び第２係合部１３ｂの爪１５間の凹みに造営面７よりも奥で係合する。これにより、化粧プレート３をプレート取付け枠２に取り付けることができる。
【００３６】
化粧プレート３をプレート取付け枠２から取り外すときは、指で化粧プレート３の端を掴み、又はマイナスドライバ等の工具を化粧プレート本体２１の溝２１ａ（図５参照）に挿入し、化粧プレート３を造営面７から持ち上げる。これにより、係合部２２ａ，２２ｂ、第１係合部１３ａ及び第２係合部１３ｂが撓み、係合部２２ａ，２２ｂが第１係合部１３ａ及び第２係合部１３ｂから外れる。
【００３７】
図１１（ｂ）は図４のXI−XI線断面図であり、取付け座６ｂが図１１（ａ）の取付け座６ｂよりも深い例を示す。埋込み穴６は現場で加工されることがあり、取付け座６ｂの深さが現場によって変化することがある。プレート取付け枠２に対する化粧プレート３の位置は、奥行き方向に調整可能であるので、取付け座６ｂの深さが変化しても、化粧プレート本体２１を造営面７に接触させることができる。
【００３８】
以上に本実施形態の配線器具用プレート１の構成を説明した。本実施形態の配線器具用プレート１によれば、以下の効果を奏する。
【００３９】
造営面７よりも奥の取付け座６ｂにプレート取付け枠２を取り付け、造営面７よりも奥で化粧プレート３の係合部２２ａ，２２ｂとプレート取付け枠２の第１係合部１３ａ及び第２係合部１３ｂとを係合させ、プレート取付け枠２を覆う化粧プレート本体２１が造営面７に接するようにするので、造営面７からの配線器具用プレート１の突出量を小さくすることができる。また、化粧プレート本体２１が埋込み穴６の縁の造営面７も覆うので、見栄えよい配線器具用プレート１にすることができる。
【００４０】
プレート取付け枠２に対する化粧プレート３の奥行き方向の位置を調整可能であるので、取付け座６ｂの深さが変化しても、化粧プレート本体２１を造営面７に接触させることができる。
【００４１】
プレート取付け枠２の第１係合部１３ａが撓みにくい断面略Ｉ字状であり、第２係合部１３ｂが撓み易い略Ｕ字状であるので、化粧プレート３の係合部２２ａ，２２ｂとプレート取付け枠２の第１係合部１３ａ及び第２係合部１３ｂとの係合を確実にすることができると共に、プレート取付け枠２に取り付けた化粧プレート３のがたつきを抑えることができる。
【００４２】
化粧プレート３の一対の係合部２２ａ，２２ｂを取付け座６ｂの一対の壁面６ｂ１とプレート取付け枠２の一対の側面との間に差し込むので、化粧プレート３を埋込み穴６に差し込むときのガイドとして一対の壁面６ｂ１を利用することができる。
【００４３】
なお、本発明は、上記実施形態に具現化されるのに限られることはなく、本発明の要旨を変更しない範囲で様々な実施形態に具現化可能である。
【００４４】
上記実施形態では、プレート取付け枠をテーブルの天板に取り付けた例を説明したが、プレート取付け枠を建築物の壁面、床面、天井に取り付けることもできる。この場合、プレート取付け枠を建築物の壁面等に埋め込んだ埋込ボックスに取り付けることもできる。
【００４５】
上記実施形態では、プレート取付け枠に複数の配線器具を配線器具の長幅方向に並べているが、プレート取付け枠に複数の配線器具を配線器具の短幅方向に並べることもできる。
【００４６】
配線器具には、コンセント、スイッチ、ＵＳＢコンセント、情報コンセント（通信系モジュラコンセント、ＴＶコンセント）等を用いることができる。
【００４７】
上記実施形態では、プレート取付け枠の係合部に複数の爪を設けているが、化粧プレートの係合部に複数の爪を設けることもできる。
【００４８】
上記実施形態の化粧プレートの係合部及びプレート取付け枠の係合部の形状は一例であり、例えば化粧プレートの係合部をフック状にし、プレート取付け枠の係合部をフック状の係合部が係合する穴状にすることもできる。
【符号の説明】
【００４９】
１…配線器具用プレート
２…プレート取付け枠
２ａ，２ｂ…プレート取付け枠の開口
４…配線器具
７…造営面
６…埋込み穴
６ｂ…取付け座
３…化粧プレート
３ａ，３ｂ…化粧プレートの開口
４，４１…配線器具
６ｂ１…取付け座の壁面
２１…化粧プレート本体
２２ａ，２２ｂ…化粧プレートの係合部
１３ａ…第１係合部（プレート取付け枠の係合部）
１３ｂ…第２係合部（プレート取付け枠の係合部）
１４，１５…複数の爪
【図１】
2019146341.tif 000003
【図２】
2019146341.tif 000004
【図３】
2019146341.tif 000005
【図４】
2019146341.tif 000006
【図５】
2019146341.tif 000007
【図６】
2019146341.tif 000008
【図７】
2019146341.tif 000009
【図８】
2019146341.tif 000010
【図９】
2019146341.tif 000011
【図１０】
2019146341.tif 000012
【図１１】
2019146341.tif 000013